(57)【要約】【課題】開戸保持装置が設けられていない自閉引戸等の戸体１に対し、その新設、既設を問わず引戸等の開閉機構に何ら影響を受けることながなく、ドアハンドル２を取付けするだけで、ドアハンドル２がそのまま開戸保持装置として機能し、戸体１を所望の開戸位置に停止保持させることができる。【解決手段】戸体１に取り付けられるドアハンドル２に対して、その下部側を前記引戸１の下端部位まで延設せしめる延出部２０３と、該延出部２０３先端に設けられて操作手段３１の上げ下げ操作で上下動可能に構成されたストッパ手段３とを設ける。【選択図】        図１
2004285719.tif 000002
【特許請求の範囲】
【請求項１】
自閉戸体を任意の開戸位置で開放保持する開戸保持装置であって、該開戸保持装置を、操作手段の上げ下げ操作で床面に当接係止し、係止解除する上下動可能なストッパ手段と、前記戸体に取り付けられる上下方向に長尺なドアハンドルの下部側に連結されて、前記戸体の下端部位まで延出せしめた延出部とで構成し、該延出部下端に前記ストッパ手段が設けられていることを特徴とする自閉戸体の開戸保持装置。
【請求項２】
自閉戸体に取り付けられる上下方向に長尺なドアハンドルであって、該ドアハンドルは、その下部側を前記戸体の下端部位まで延設せしめた延出部と、該延出部先端に設けられて操作手段の上げ下げ操作で上下動可能に構成されたストッパ手段とを備えると共に、該ストッパ手段は、床面への当接部を前記操作手段の下動操作で床面に当接係止せしめて、前記戸体を任意の開戸位置に開放保持すべく構成されていることを特徴とするストッパ機能付きドアハンドル。
【請求項３】
請求項１または２において、前記ストッパ手段は、ケース体に対して上下移動可能に挿通立設されたガイド軸に対し前記当接部を取着せしめて、ガイド軸と当接部とが一体的に上下動するよう構成されることを特徴とする自閉戸体の開戸保持装置およびストッパ機能付きドアハンドル。
【請求項４】
請求項３において、前記ストッパ手段は、ガイド軸に設けられるバネ体により、前記当接部を常時上方に付勢されていることを特徴とする自閉戸体の開戸保持装置およびストッパ機能付きドアハンドル。
【請求項５】
請求項１乃至４のいずれかにおいて、前記操作手段は、前記ストッパ手段に設けられる足踏み操作可能な下動用操作部と、ストッパ手段の下降状態を解除する解除レバーとで構成されていることを特徴とする自閉戸体の開戸保持装置およびストッパ機能付きドアハンドル。
【請求項６】
請求項５において、前記下動用操作部は、前記延出部の両側に設けられていることを特徴とする自閉戸体の開戸保持装置およびストッパ機能付きドアハンドル。
【請求項７】
請求項５または６において、前記解除レバーは、基端部を前記ストッパ手段に支承し、かつ、中間部をストッパ手段に設けられたガイド軸に常時上方に付勢すべく緩挿すると共に、該中間部を、ストッパ手段の下動に伴ってその上動を規制するよう前記ガイド軸の上端部に形成した係止溝に係止せしめ、この係止状態を先端部側を下方に押動することで解除するよう構成されていることを特徴とする自閉戸体の開戸保持装置およびストッパ機能付きドアハンドル。
【発明の詳細な説明】
【０００１】
【発明の属する技術分野】
本発明は、自閉機能を有した引戸やドアなどの戸体を、任意の開戸位置に開放保持することのできる自閉戸体の開戸保持装置およびストッパ機能付きドアハンドルに関する。
【０００２】
【従来の技術】
一般に、病院、老人ホームなどでは、開閉操作性の面からハンガー式自閉引戸が好んで採用されており、食事や診療時、車椅子やストレッチャーの通行時などに出入りを円滑にするために、一定の時間引戸を途中開放した状態や全開した状態で保持するための開戸保持装置が設けられている。
【０００３】
ところで、従来においては、この種の開戸保持装置を設けるにあたり、引戸の開閉機構を構成する、例えば、ハンガーレール上を転動するローラ上部において、その円弧上周面（円弧山部）を往復移動する回転摩擦体に対して、乗り越え抵抗を付与し、自閉途中の引戸を開放側に僅かに移動させることで、回転摩擦体が摩擦に抗してローラの円弧山部を乗り越えて、引戸を任意の開放位置で停止保持するようにしたものが知られている（特許文献１）。
しかしながら、このように引戸の開閉機構の構成部材として組み付けられたものでは、開戸保持装置が設けられていない既設の引戸などに取付けする場合に、専用の弾性ローラや取付け用の加工を必要とし、かつ、専門の工事が必要となるため採用することがことが難しいという問題があり、既設の引戸においても容易に取り付けられる開戸保持装置の出現が望まれていた。
【０００４】
【特許文献１】
特開２００２−２２７５０９号公報（第１図）
【０００５】
【発明が解決しようとする課題】
本発明は、上記の如き問題点を一掃すべく創案されたものであって、開戸保持装置が設けられていない戸体に対し、その新設、既設を問わず引戸等の開閉機構に何ら影響を受けることながなく、ドアハンドルを取付けするだけで、ドアハンドルがそのまま開戸保持装置として機能し、戸体を所望の開戸位置に停止保持させることができるばかりか、何らの専門的な知識を要しなくとも取付けでき、しかも、ドアハンドルは病院や養老院などでその使い勝手の面から長尺化が要求され、既設のドアハンドルを取替えするだけで、また、取替えすることなく延出部を連結するだけで、長尺化の要求と共に開戸保持機能を具備する要求にも応えることができる自閉戸体の開戸保持装置およびストッパ機能付きドアハンドルを提供することを目的とする。
【０００６】
【課題を解決するための手段】
上記課題を解決するために本発明の自閉戸体の開戸保持装置は、自閉戸体を任意の開戸位置で開放保持する開戸保持装置であって、該開戸保持装置を、操作手段の上げ下げ操作で床面に当接係止し、係止解除する上下動可能なストッパ手段と、前記戸体に取り付けられる上下方向に長尺なドアハンドルの下部側に連結されて、前記戸体の下端部位まで延出せしめた延出部とで構成し、該延出部下端に前記ストッパ手段が設けられていることを特徴とするものである。
【０００７】
また、上記課題を解決するために本発明のストッパ機能付きドアハンドルは、自閉戸体に取り付けられる上下方向に長尺なドアハンドルであって、該ドアハンドルは、その下部側を前記戸体の下端部位まで延設せしめた延出部と、該延出部先端に設けられて操作手段の上げ下げ操作で上下動可能に構成されたストッパ手段とを備えると共に、該ストッパ手段は、床面への当接部を前記操作手段の下動操作で床面に当接係止せしめて、前記戸体を任意の開戸位置に開放保持すべく構成されていることを特徴とするものである。
【０００８】
【発明の実施の形態】
以下、本発明の実施の形態を好適な実施の形態として例示する把手を図面に基づいて詳細に説明する。図１は自閉引戸の全体正面図、図２（Ａ）はドアハンドル部の左側面図、（Ｂ）はドアハンドル部の右側面図、（Ｃ）は既存のドアハンドルにストッパ手段を装着した状態の左側面図、図３はストッパ装置の内部機構を示す断面図である。これらの図に示すように、１は自閉式引戸であって、該自閉式引戸は、戸先側に向けて傾斜するハンガーレール上を引戸の自重によりローラーを転動させるようにした自閉機構や、ゼンマイバネ等を利用してワイヤーで引戸を引っ張るようにした自閉機構など、任意の自閉機構により開放した引戸を自動的に閉鎖する機能を備えて構成されている。
【０００９】
引戸１には、中央に円筒状の把持部２０１を有し、把持部２０１から角筒状部が延設される上下方向に長尺なドアハンドル２（２ａ）が、室内・外に引戸１を挟んで上下に設けられた脚部２０２を介して互いに連結固定されている。
図１、図２（Ａ）（Ｂ）における実施例のドアハンドル２は、ストッパ手段３が一体的に設けられたストッパ機能付きドアハンドルの形態を示すものであって、該ドアハンドル２は、その下部側において前記戸体１の下端部位まで延設させた延出部２０３が一体形成されており、前記下側脚部２０２がその最下端に設けられている。
また、図２（Ｃ）における実施形態では、前記延出部２０３を別体として形成し、既存のドアハンドル２ａの下部側において連結手段２０４を介して延出部２０３を連結して取り付けた構成となっている。つまり、開戸保持装置を、操作手段３１の上げ下げ操作で床面に当接係止し、係止解除する上下動可能なストッパ手段３と、前記引戸１に取り付けられる上下方向に長尺なドアハンドル２の下部側に連結されて、前記引戸１の下端部位まで延出せしめた延出部２０３とで構成し、前記延出部２０３の先端にストッパ手段３が設けられるようになっている。なお、この延出部２０３の下端部で引戸１の内フレームなどに対して図示しない支持ボルトで固定しておけば、しっかりと取付けすることができる。
【００１０】
ストッパ手段３は、操作手段３１の上げ下げ操作で上下動可能に構成されている。つまり、ストッパ手段３は、図３に示すように、前記延出部２０３への取付片３２１が上下に一体形成されたケース体３２と、該ケース体３２の上下片に穿設された軸孔３２５を上下移動可能に貫通立設されたガイド軸３２２と、全体が略Ｌ字状に形成され、底面に床面と接触するゴム製の滑り止め部材３０２が装着され、立面にガイド軸３２２と連結するための凸状の連結部３０３が形成された当接部３０１と、該当接部３０１を常時上方へ付勢するガイド軸３２２に緩挿されたバネ３２３と、ケース体３２の取付片３２１の反対側面に形成されて前記連結部３０３が嵌装される案内溝３２４とで構成されている。なお、滑り止め部材３０２を、下降時において閉鎖方向へは弾圧に抗して滑り止め規制するが、開戸方向へは滑りを許容するように構成しても良い。
【００１１】
一方、操作手段３１は、当接部３０１の形状に合わせて一体形成された足踏み操作可能な略Ｌ字状の下動用操作部３１１と、ストッパ手段３の下動状態を解除するための板状の解除レバー３１２とで構成される。下動用操作部３１１の表面には凹凸のエッジ加工が施されており、解除レバー３１２は、湾曲プレート板にて形成され、その基端を前記上側の取付片３２１に穿設された係止溝３１３に支承させると共に、基端側偏り中央に穿設された挿通孔３１２ａを前記ケース体３２から突出する部分のガイド軸３２２に対して、ガイド軸３２２に緩挿されたバネ３１４により常時上方に付勢して遊挿される。ガイド軸３２２には、ガイド軸３２２が下動すると前記挿通孔３１２ａに係止するＶ字状の係止溝３１２ｂが刻設されている。
【００１２】
つまり、ストッパ手段３は、下動用操作部３１１を押下（押動）することで当接部３０１が案内溝３２４に沿ってガイド軸３２２と共に一体的に下動し、前記挿通孔３１２ａが係止溝３１２ｂに掛合して上動が規制され、ストッパ手段３の降下が維持された状態を保ち、解除レバー３１２の自由端側（先端部側）を手または足により押し下げることで、前記挿通孔３１２ａと係止溝３１２ｂとの掛合が解離されて、バネ３２３によりストッパ手段３が上動する構成となっている。
これにより、ストッパ手段３は、当接部３０１を前記操作手段３１の下動操作で床面に当接係止せしめて、前記引戸１を任意の開戸位置に開放保持すべく構成される。
なお、前記下動用操作部３１１を、図４に示す実施形態のように、前記延出部２０３を挟んで両サイドに設けて、押し下げ操作をドアハンドル２（２ａ）の何れの側からも操作できるようにしても良い。
【００１３】
図５に示す実施形態は、ガイド軸３２２を円筒状の延出部２０３内に内装し、前記ケース体３２を延出部２０３をもって兼用させた構成のものである。つまり、ストッパ手段３を、延出部２０３を被嵌するよう凹状キャップ型に形成されたゴム質製部材をもって被服された当接部３０１と、該当接部３０１に回転可能に立設されるガイド軸３２２とで構成し、ガイド軸３２２を筒状の延出部２０３内に上下動可能に嵌装する。ガイド軸３２２の上端側には、操作手段３１としての操作レバー３１ａを設ける一方、延出部２０３には、操作レバー３１ａを案内するための略コ字形に穿設された案内溝３２４ａが形成されている。案内溝３２４ａの下側水平部は、僅かに下方に傾斜した溝部を介して形成されている。
これにより、ストッパ手段３は、案内溝３２４ａの上側水平部に操作レバー３１ａを係止して持ち上げ状態を維持し、下動する際は、操作レバー３１ａを案内溝３２４ａの垂直部に沿わせて下方に移動させ、前記傾斜した溝部を通過することで延出部２０３を床面に圧接させて押し下げ状態が維持されるようになっている。
【００１４】
叙述の如く構成された本発明の実施の形態において、いま、自閉引戸１を任意の開戸位置で開放保持するのであるが、引戸１に取り付けられるドアハンドル２に対して、その下部側を前記引戸１の下端部位まで延設せしめる延出部２０３と、該延出部２０３先端に設けられて操作手段３１の上げ下げ操作で上下動可能に構成されたストッパ手段とを設けるようにしてあるため、ドアハンドル２に延出部２０３を一体形成すれば、ストッパ機能付きドアハンドルとして商品提供を行うことができ、また、既に施工された引戸１に設けられたドアハンドル２ａなどに対して、延出部２０３を別体のものとして装着するように構成すれば、開戸保持装置として商品提供を行うことができる。
その結果、開戸保持装置が設けられていない自閉引戸等の戸体に対し、その新設、既設を問わず引戸等の開閉機構に何ら影響を受けることながなく、ドアハンドルを取付けするだけで、ドアハンドルがそのまま開戸保持装置として機能し、戸体を所望の開戸位置に停止保持させることができるばかりか、何らの専門的な知識を要しなくとも取付けでき、しかも、ドアハンドルは病院や養老院などでその使い勝手の面から長尺化が要求され、既設のドアハンドルを取替えするだけで、また、取替えすることなく延出部２０３を連結するだけで、長尺化の要求と共に開戸保持機能を具備する要求にも応えることができる。そして、延出部２０３がドアハンドルの一部を構成するので、延出部２０３自体もハンドル操作として利用でき、手が塞がった状態など、足による戸体の開放操作を行い易くするすることができる。
【００１５】
また、前記ストッパ手段３は、前記ケース体３２（２０３）に対して上下移動可能に挿通立設されたガイド軸３２２に対し前記当接部３０１を取着せしめて、ガイド軸と当接部とが一体的に上下動するよう構成されるため、前記ケース体３２を別途形成しなくとも延出部２０３をケース体に兼用させることができ、落とし錠や、フランス落としの如く上下動機構を構成することもできる。
しかも、前記ストッパ手段３は、ガイド軸３２２に設けられるバネ体３２３により、前記当接部３０１を常時上方に付勢されているので、解除レバー３１２押し下げるだけのワンタッチ操作で、下降状態にあるストッパ手段３を上動することができる。
【００１６】
また、前記操作手段３１は、前記ストッパ手段３に設けられる足踏み操作可能な下動用操作部３１１と、ストッパ手段３の下降状態を解除する解除レバー３１２とで構成されているため、ドアハンドルの把持部２０１を握り、立ったままの状態で、下動用操作部３１１を足先で押下すれば下動操作することができ、解除レバー３１２も同様に操作することができる。したがって、戸体を開いた位置で直ちにストッパ手段３の上げ下げ操作が行え、腰を屈めたり、立ったり座ったりの動作を行う必要が無く、お年寄りや体の不自由な者ににとっても極めて操作し易く、また、手荷物を持つなど両手が塞がった状態から、肘や足で戸体を開放した場合であっても操作することができる。
しかも、前記下動用操作部３１１を、前記延出部２０３の両側に設けておけば、更に、ドアハンドル２の何れの側からもその場で下動操作を行うことができ、操作を一層行い易くすることができる。
【００１７】
また、前記解除レバー３１２は、基端部を前記ストッパ手段３を構成する上側取付片３２１の係止溝３１３に支承し、かつ、中間部（基端側偏り中央の挿通孔３１２ａ）をガイド軸３２２に対して、前記バネ３１４により常時上方に付勢すべく緩挿すると共に、該中間部を、ストッパ手段３の下動に伴ってその上動を規制するよう前記ガイド軸３２２の上端部に形成した係止溝３１２ｂに係止せしめ、この係止状態を先端部側を下方に押動することで解除するよう構成されている。このため、解除レバー３１２を足先で軽く押し下げ操作するだけで、ストッパ手段３を上動することができ、開戸位置に停止している戸体を自閉することができる。なお、解除レバー３１２は足踏み操作可能にストッパ手段３の近傍に設けたがこれに限定されず、例えば図５の実施形態に示すように、ガイド軸３２２をドアハンドル２内に設け、把持部２０１部位まで延設して解除レバー３１２を設けるようにしても良い。
【００１８】
【発明の効果】
本発明は、上記のように、戸体１に取り付けられるドアハンドル２に対して、その下部側を前記引戸１の下端部位まで延設せしめる延出部２０３と、該延出部２０３先端に設けられて操作手段３１の上げ下げ操作で上下動可能に構成されたストッパ手段３とを設けるよう構成したことにより、開戸保持装置が設けられていない自閉引戸等の戸体に対し、その新設、既設を問わず引戸等の開閉機構に何ら影響を受けることながなく、ドアハンドルを取付けするだけで、ドアハンドルがそのまま開戸保持装置として機能し、戸体を所望の開戸位置に停止保持させることができるばかりか、何らの専門的な知識を要しなくとも取付けでき、しかも、ドアハンドルは病院や養老院などでその使い勝手の面から長尺化が要求され、既設のドアハンドルを取替えするだけで、また、取替えすることなく延出部２０３を連結するだけで、長尺化の要求と共に開戸保持機能を具備する要求にも応えることができる。
【図面の簡単な説明】
【図１】ドアハンドルを装着した自閉引戸の正面図。
【図２】（Ａ）はドアハンドル部の左側面図、（Ｂ）はドアハンドル部の右側面図、（Ｃ）は既存のドアハンドルにストッパ手段を装着した状態の左側面図。
【図３】ストッパ装置の内部機構を示す断面図で、（Ａ）は上動状態、（Ｂ）は稼働状態を示す。
【図４】下動用操作部の他の実施態様を示す斜視図。
【図５】ストッパ手段の他の実施例を示す正面図。
【符号の説明】
１        自閉引戸
２        ドアハンドル
２ａ      ドアハンドル
２０１    把持部
２０２    脚部
２０３    延出部
２０４    連結手段
３        ストッパ手段
３０１    当接部
３０２    部材
３０３    連結部
３１      操作手段
３１１    下動用操作部
３１２    解除レバー
３１２ａ  挿通孔
３１２ｂ  係止溝
３１３    係止溝
３１４    バネ
３１ａ    操作レバー
３２      ケース体
３２１    取付片
３２２    ガイド軸
３２３    バネ
３２４    案内溝
３２４ａ  案内溝
３２５    軸孔
【図１】
2004285719.tif 000003
【図２】
2004285719.tif 000004
【図３】
2004285719.tif 000005
【図４】
2004285719.tif 000006
【図５】
2004285719.tif 000007